(57)【要約】【課題】光モジュールを強い力で押し込んだ場合であっても、光モジュールの過挿入を防止でき、基板に実装された電子部品の破壊を防止することが可能な光モジュールの過挿入防止構造を提供する。【解決手段】ケージ３を、光モジュール４を挿入する挿入口６と対向する後面が開放された筒状に形成し、ケージ３の両側に沿って配置されると共に、その一端部が前面パネル８に固定される２つの横枠５ａと、ケージ３の後方にて２つの横枠５ａの他端部同士を接続する後枠５ｂとを有する過挿入防止部材５を設け、後枠５ｂに、ケージ３の開放された後面からケージ３内に突出すると共に、光モジュール４をケージ３内に収容した収容位置にて光モジュール４の先端４ｄに当接し、光モジュール４の挿入を収容位置で停止させる当接部５ｅを形成した。【選択図】図１
2012018858.tif 000002
【特許請求の範囲】
【請求項１】
通信機器の基板上に固定されたケージに光モジュールを挿入して、前記光モジュールを前記ケージ内に収容する際に、前記光モジュールの過挿入を防止するための光モジュールの過挿入防止構造であって、
前記ケージは、前記光モジュールを挿入する挿入口と対向する後面が開放され筒状に形成されると共に、前記挿入口を前記通信機器の前面パネルに形成された貫通孔に位置させて配置され、
前記ケージの両側に沿って配置されると共に、その一端部が前記前面パネルに固定される２つの横枠と、前記ケージの後方にて前記２つの横枠の他端部同士を接続する後枠とを有する過挿入防止部材を設け、
前記過挿入防止部材の前記後枠に、前記ケージの開放された後面から前記ケージ内に突出するように形成され、前記光モジュールを前記ケージ内に収容した収容位置にて前記光モジュールの先端に当接し、前記光モジュールの挿入を前記収容位置で停止させる当接部を形成した
ことを特徴とする光モジュールの過挿入防止構造。
【請求項２】
前記過挿入防止部材は、金属板を折り曲げ加工することにより形成される請求項１記載の光モジュールの過挿入防止構造。
【請求項３】
前記過挿入防止部材の前記横枠の一端部にフランジ部を形成し、該フランジ部を前記前面パネルの裏面にネジ止めすることにより、前記横枠の一端部を前記前面パネルに固定するようにした請求項１または２記載の光モジュールの過挿入防止構造。
【請求項４】
前記ケージは、前記光モジュールを挿入する前記挿入口を複数有し、複数の前記光モジュールを収容するように形成され、
前記過挿入防止部材の前記後枠には、複数の前記光モジュールに対応した複数の前記当接部が形成される請求項１〜３いずれかに記載の光モジュールの過挿入防止構造。
【発明の詳細な説明】
【技術分野】
【０００１】
本発明は、通信機器の基板上に固定されたケージに光モジュールを挿入して、光モジュールをケージ内に収容する際に、光モジュールの過挿入を防止するための光モジュールの過挿入防止構造に関するものである。
【背景技術】
【０００２】
図４に示すように、光トランシーバなどの光モジュール４１は、通信機器の基板４２上に固定されたケージ４３に光モジュール４１を挿入し、光モジュール４１をケージ４３内に収容することで、通信機器に実装される（例えば、特許文献１〜７参照）。
【０００３】
光モジュール４１は、図示していないが、その挿入側の先端部に開口を有しており、この開口から回路基板が露出されるようになっている。開口から露出された回路基板の端部には、接続端子が整列して形成され、カードエッジコネクタが形成されている。
【０００４】
光モジュール４１をケージ４３に挿入すると、光モジュール４１のカードエッジコネクタが基板４２に実装されたレセプタクル４４に挿入され、光モジュール４１の回路基板と通信機器の基板４２とが電気的に接続される。
【０００５】
ケージ４３は、薄い金属板を折り曲げ加工することにより形成される。図４の例では、ケージ４３は、基板４２に固定される下側ケージ４３ａと、下側ケージ４３ａの上部を覆う上側ケージ４３ｂの２分割構成となっており、下側ケージ４３ａと上側ケージ４３ｂとを一体とすると、１面が開放された箱状の形状となるようになっている。この開口部が、光モジュール４１を挿入する挿入口４５となる。下側ケージ４３ａには、下側ケージ４３ａの下方に延びる複数の脚部４６が形成されており、この脚部４６を基板４２に形成された孔４７に挿入しはんだ付けすることで、下側ケージ４３ａが基板４２に固定される。
【０００６】
光モジュール４１をケージ４３内に収容した収容位置では、光モジュール４１の先端とケージ４３の後面（挿入口４５と対向する面）４３ｃとの間に隙間が形成されるようになっており、この隙間には、板バネなどの弾性部材が設けられる場合もある。
【先行技術文献】
【特許文献】
【０００７】
【特許文献１】特開２００５−５７１２８号公報
【特許文献２】特開２００４−３５６０２５号公報
【特許文献３】特開２００４−１４０８１０号公報
【特許文献４】特開２００５−３１７５４０号公報
【特許文献５】特開２００８−７７９２３号公報
【特許文献６】特開２００７−２４２６５３号公報
【特許文献７】特開２００６−１１３４５５号公報
【発明の概要】
【発明が解決しようとする課題】
【０００８】
しかしながら、上述のような構造では、光モジュール４１をケージ４３に挿入する際に、強い力で光モジュール４１を押し込むと、基板４２に実装されたレセプタクル４４が破壊され、さらには、ケージ４３の後面４３ｃが押し倒され、ケージ４３の後方に実装された電子部品も破壊されてしまうおそれがある。ケージ４３は、薄い金属板を折り曲げ加工して形成されるため、光モジュール４１を強い力で押し込むと、容易に破壊されてしまう。
【０００９】
そこで、本発明の目的は、上記課題を解決し、光モジュールを強い力で押し込んだ場合であっても、光モジュールの過挿入を防止でき、レセプタクルなどの基板に実装された電子部品の破壊を防止することが可能な光モジュールの過挿入防止構造を提供することにある。
【課題を解決するための手段】
【００１０】
本発明は上記目的を達成するために創案されたものであり、通信機器の基板上に固定されたケージに光モジュールを挿入して、前記光モジュールを前記ケージ内に収容する際に、前記光モジュールの過挿入を防止するための光モジュールの過挿入防止構造であって、前記ケージは、前記光モジュールを挿入する挿入口と対向する後面が開放され筒状に形成されると共に、前記挿入口を前記通信機器の前面パネルに形成された貫通孔に位置させて配置され、前記ケージの両側に沿って配置されると共に、その一端部が前記前面パネルに固定される２つの横枠と、前記ケージの後方にて前記２つの横枠の他端部同士を接続する後枠とを有する過挿入防止部材を設け、前記過挿入防止部材の前記後枠に、前記ケージの開放された後面から前記ケージ内に突出するように形成され、前記光モジュールを前記ケージ内に収容した収容位置にて前記光モジュールの先端に当接し、前記光モジュールの挿入を前記収容位置で停止させる当接部を形成した光モジュールの過挿入防止構造である。
【００１１】
前記過挿入防止部材は、金属板を折り曲げ加工することにより形成されてもよい。
【００１２】
前記過挿入防止部材の前記横枠の一端部にフランジ部を形成し、該フランジ部を前記前面パネルの裏面にネジ止めすることにより、前記横枠の一端部を前記前面パネルに固定するようにしてもよい。
【００１３】
前記ケージは、前記光モジュールを挿入する前記挿入口を複数有し、複数の前記光モジュールを収容するように形成され、前記過挿入防止部材の前記後枠には、複数の前記光モジュールに対応した複数の前記当接部が形成されてもよい。
【発明の効果】
【００１４】
本発明によれば、光モジュールを強い力で押し込んだ場合であっても、光モジュールの過挿入を防止でき、基板に実装された電子部品の破壊を防止できる。
【図面の簡単な説明】
【００１５】
【図１】本発明の一実施の形態に係る光モジュールの過挿入防止構造を示す図であり、（ａ）は平面図、（ｂ）はその１Ｂ−１Ｂ線断面図、（ｃ）は光モジュールを収容したときの１Ｃ−１Ｃ線断面図である。
【図２】図１の光モジュールの過挿入防止構造に用いる過挿入防止部材を示す図であり、（ａ）は斜視図、（ｂ）は側面図、（ｃ）は平面図、（ｄ）は正面図である。
【図３】本発明の一実施の形態に係る光モジュールの過挿入防止構造の平面図である。
【図４】従来の光モジュールをケージに収容する構造を示す斜視図である。
【発明を実施するための形態】
【００１６】
以下、本発明の好適な実施の形態を添付図面にしたがって説明する。
【００１７】
図１は、本実施の形態に係る光モジュールの過挿入防止構造を示す図であり、（ａ）は平面図、（ｂ）はその１Ｂ−１Ｂ線断面図、（ｃ）は光モジュールを収容したときの１Ｃ−１Ｃ線断面図である。
【００１８】
図１（ａ）〜（ｃ）に示すように、光モジュールの過挿入防止構造１は、通信機器の基板２上に固定されたケージ３の周囲に、光モジュール４の過挿入を防止するための過挿入防止部材５を設けてなる。
【００１９】
ケージ３は、光モジュール４を挿入する挿入口６と対向する後面が開放され、断面矩形状の筒状に形成される。つまり、ケージ３は、図４で示した従来用いられているケージ４３の後面４３ｃを除去したものである。以下、後面を開放した開口部を後方開口部７と呼称する。
【００２０】
ケージ３には、ケージ３の下方に延びる複数の脚部（図示せず）が形成されており、この脚部を基板２に形成された孔（図示せず）に挿入しはんだ付けすることで、ケージ３が基板２に固定される。ケージ３としては、上下で２分割構成となっているものを用いてもよいし、一体構成のものを用いてもよい。ケージ３は、ステンレスなどからなる薄い金属板を折り曲げ加工することにより形成される。
【００２１】
ケージ３は、挿入口６を通信機器の前面パネル８に形成された貫通孔９に位置させて配置される。本実施の形態では、ケージ３の先端部（図示左側の部分）を貫通孔９に挿入し、前面パネル８の表面からケージ３の先端部が突出するようにした。なお、前面パネル８は、通信機器の筐体（シャーシ）の一部を構成するものである。ケージ３の高さ（図１（ｂ）の上下方向の長さ）は、例えば１０ｍｍ程度であり、ケージ３の幅（図１（ａ）の上下方向の長さ）は、例えば１４ｍｍ程度であり、ケージ３の長さ（図１（ａ）の左右方向の長さ）は、例えば５０ｍｍ程度である。また、前面パネル８の裏面からケージ３の後端（図１（ａ）の右端）までの長さは、例えば３９ｍｍ程度である。
【００２２】
光モジュール４は、その挿入側（図１（ｃ）では右側）の先端部に開口４ａを有しており、この開口４ａから回路基板４ｂが露出されるようになっている。開口４ａから露出された回路基板４ｂの端部には、図示しない接続端子が整列して形成され、カードエッジコネクタ４ｃが形成されている。
【００２３】
基板２には、光モジュール４のカードエッジコネクタ４ｃが挿入されるレセプタクル１０が実装されている。レセプタクル１０は、ケージ３内に実装される。光モジュール４をケージ３に挿入すると、光モジュール４のカードエッジコネクタ４ｃがレセプタクル１０に挿入され、光モジュール４の回路基板４ｂと通信機器の基板２とが電気的に接続される。光モジュール４をケージ３内に収容した収容位置では、光モジュール４の先端４ｄは、レセプタクル１０よりも後方（図１（ｃ）では右側）に突出するようになっている。
【００２４】
図１（ａ）〜（ｃ）および図２（ａ）〜（ｄ）に示すように、過挿入防止部材５は、ケージ３の両側に沿って配置されると共に、その一端部が前面パネル８に固定される２つの横枠５ａと、ケージ３の後方にて２つの横枠５ａの他端部同士を接続する後枠５ｂと、を有している。横枠５ａと後枠５ｂとは一体に形成される。
【００２５】
横枠５ａは、ケージ３の側面に沿う直線状に形成され、その一端部には、横枠５ａの一端部からケージ３と反対側に延びる（ケージ３から離れる方向に延びる）フランジ部５ｃが一体に形成される。フランジ部５ｃには、ネジ穴５ｄが形成されており、このネジ穴５ｄにネジ１１を通してフランジ部５ｃを前面パネル８の裏面にネジ止めすることにより、横枠５ａが前面パネル８に固定される。
【００２６】
過挿入防止部材５の後枠５ｂには、後方開口部７からケージ３内に突出するように形成され、光モジュール４をケージ３内に収容した収容位置にて光モジュール４の先端４ｄに当接し、光モジュール４の挿入を収容位置で停止させる当接部５ｅが形成される。本実施の形態では、過挿入防止部材５を平面視で略Ｍ字状に形成し、Ｍ字状の中央の突出部に相当する当接部５ｅを、後方開口部７からケージ３内に突出するように配置した。当接部５ｅは、横枠５ａに対して垂直な面を有しており、光モジュール４の先端４ｄを面で受けるようになっている。
【００２７】
過挿入防止部材５は、ステンレスなどからなる金属板を折り曲げ加工することにより形成される。過挿入防止部材５に用いる金属板の厚さとしては、光モジュール４を強い力で押し込んだときに過挿入防止部材５が変形してしまわない程度の厚さとすればよく、金属板の材質等を考慮して適宜決定すればよい。本実施の形態では、厚さ１ｍｍ、幅５ｍｍのステンレスからなる金属板を折り曲げ加工することにより、過挿入防止部材５を形成した。
【００２８】
横枠５ａの長さ（図２（ｂ）における左右方向の長さ）は、ケージ３の長さ（前面パネル８の裏面からの長さ）よりも若干大きくされ、例えば４０ｍｍ程度とされる。また、２つの横枠５ａの間隔（図２（ｃ）における上下方向の間隔）は、ケージ３の幅よりも若干大きくされ、例えば１６ｍｍ程度とされる。フランジ部５ｃの長さは、例えば７ｍｍ程度である。
【００２９】
本実施の形態の作用を説明する。
【００３０】
本実施の形態に係る光モジュールの過挿入防止構造１では、ケージ３の後面を開放すると共に、ケージ３の周囲に、２つの横枠５ａと後枠５ｂとを有する過挿入防止部材５を設け、横枠５ａの一端部を前面パネル８に固定して過挿入防止部材５を前面パネル８に固定すると共に、後枠５ｂに、後方開口部７からケージ３内に突出し、光モジュール４をケージ３内に収容した収容位置にて光モジュール４の先端４ｄに当接する当接部５ｅを形成し、この当接部５ｅにて、光モジュール４の挿入を収容位置で停止させるようにしている。
【００３１】
過挿入防止部材５を設けることにより、光モジュール４が収容位置まで挿入された時点で光モジュール４の先端４ｄが当接部５ｅにより規制され、光モジュール４の挿入を収容位置で停止させることが可能になる。過挿入防止部材５は、前面パネル８に固定されているため、光モジュール４を強い力で押し込んだ場合であっても、光モジュール４が収容位置よりも奥に押し込まれてしまうことを防止できる。つまり、本発明によれば、光モジュール４を強い力で押し込んだ場合であっても、光モジュール４の過挿入を防止でき、基板２に実装されたレセプタクル１０などの電子部品の破壊を防止することが可能となる。
【００３２】
また、本発明の光モジュールの過挿入防止構造１では、従来用いられているケージの後面を除去し、過挿入防止部材５を設けるという簡単な構成で光モジュール４の過挿入を防止でき、非常に低コストである。つまり、本発明によれば、最低限のコストで、光モジュール４の過挿入を防止でき、通信機器の信頼性を格段に向上させることが可能となる。
【００３３】
また、本発明の光モジュールの過挿入防止構造１では、過挿入防止部材５を金属板を折り曲げ加工することにより形成しているため、過挿入防止部材５を容易かつ低コストに製造することが可能である。
【００３４】
さらに、本発明の光モジュールの過挿入防止構造１では、過挿入防止部材５の横枠５ａの一端部にフランジ部５ｃを形成し、フランジ部５ｃを前面パネル８の裏面にネジ止めすることにより、横枠５ａの一端部を前面パネル８に固定するようにしているので、過挿入防止部材５を強固に前面パネル８に固定でき、信頼性を向上できる。
【００３５】
次に、本発明の他の実施の形態を説明する。
【００３６】
図３に示す光モジュールの過挿入防止構造３１は、基本的に図１の光モジュールの過挿入防止構造１と同じ構成であり、光モジュール４を挿入する挿入口６を複数有し、複数の光モジュール４を収容するケージ３２を用い、複数の光モジュール４に対応した複数の当接部５ｅを後枠５ｂに形成した過挿入防止部材３３を用いた点が異なる。
【００３７】
ケージ３２には、複数の光モジュール４に対応した複数の収容室３４が形成されており、各収容室３４に光モジュール４が収容されるようになっている。各収容室３４内には、光モジュール４のカードエッジコネクタ４ｃが挿入されるレセプタクル１０がそれぞれ実装されている。
【００３８】
過挿入防止部材３３の後枠５ｂに形成された複数の当接部５ｅは、後方開口部７からケージ３２の各収容室３４内に突出するように配置され、光モジュール４を挿入した際に、収容位置にて光モジュール４の先端４ｂを規制し、光モジュール４の過挿入を防止するようになっている。
【００３９】
このように、複数の光モジュール４を収容するケージ３２を用いる場合は、後枠５ｂに複数の当接部５ｅを形成した共通の過挿入防止部材３３を用いることで、各光モジュール４の過挿入を防止することが可能である。
【００４０】
本発明は上記実施の形態に限定されるものではなく、本発明の趣旨を逸脱しない範囲で種々の変更を加え得ることは勿論である。
【００４１】
例えば、上記実施の形態では、光モジュール４として、光モジュール４をケージ３内に収容した収容位置において、光モジュール４の先端４ｄがレセプタクル１０よりも後方に突出するものを用いる場合を説明したが、光モジュールとして、収容位置において、光モジュールの先端がレセプタクル１０よりも後方に突出しないものを用いる場合は、当接部５ｅをレセプタクル１０の上方に位置させるか、あるいは、当接部５ｅにレセプタクル１０を避けるための切欠きを形成し、収容位置にて光モジュールの先端に当接するように、当接部５ｅを配置するようにしてもよい。
【符号の説明】
【００４２】
１  光モジュールの過挿入防止構造
２  基板
３  ケージ
４  光モジュール
５  過挿入防止部材
５ａ  横枠
５ｂ  後枠
５ｃ  フランジ部
５ｄ  ネジ穴
５ｅ  当接部
６  挿入口
７  後方開口部
８  前面パネル
９  貫通孔
１０  レセプタクル
【図１】
2012018858.tif 000003
【図２】
2012018858.tif 000004
【図３】
2012018858.tif 000005
【図４】
2012018858.tif 000006